【事件の表示】
　特許第２９１０９５１号「平版印刷版」の請求項４に係る特許に対する特許異議の申立てについて、次のとおり決定する。
【結　論】
　特許第２９１０９５１号の請求項４に係る特許を取り消す。
【理　由】
１．手続の経緯
　特許第２９１０９５１号の請求項４に係る発明は、平成３年１０月２１日に特許出願され、平成１１年４月９日に特許の設定登録がなされ、その後、異議申立人・富士写真フィルム株式会社より特許異議の申立がなされ、取消理由通知がなされ、その指定期間内である平成１２年７月２５日に意見書が提出されたものである。
　
２．本件発明
　特許第２９１０９５１号の請求項４に係る発明（以下、「本件発明」という。）は、特許査定時の明細書及び図面の記載からみて、当該請求項に記載された次のとおりのものである。
　「表面に陽極酸化皮膜を形成させた上に感光層を設けた方形アルミニウム板の対向する二辺又は四辺をスリッターを用いて裁断することによりへりの角部に沿って表面が陽極酸化皮膜で覆われた上面切欠部を設け、
　該切欠部の表面が前記アルミニウム板の表面に対しなす角度θを５°以上とし、
　該感光層に画像形成露光及び現像処理を施したのち、端部を不感脂化処理して成る
　平版印刷版。」
　
３．引用刊行物
　本件発明に対し、当審が取消理由通知において示した以下の刊行物１乃至刊行物１１にはそれぞれ下記の事項が記載されている。
　刊行物１：特開昭６２−１９３１５号公報（異議申立人が提出した甲第１号証）
　刊行物２：特公昭５７−４６７５４号公報（異議申立人が提出した甲第２号証）
　刊行物３：軽金属協会編「アルミニウム技術便覧」第ｉ〜ｉｘ頁、第ｘｘｖｉ〜ｘｘｖｉｉ 頁、第７５３〜７５９頁及び、奥付頁（１９８５年６月１６日　軽金属出版（株）発行）（異議申立人が提出した甲第３号証）
　刊行物４：実公昭５７−２１７２４号公報（異議申立人が提出した甲第４号証）
　刊行物５：特開昭５５−１９５０４号公報（異議申立人が提出した甲第５号証）
　刊行物６：日本新聞協会工務委員会編「新聞製作技術用語集」第２１６頁（平成２年６月１１日　（社）日本新聞協会発行）（異議申立人が提出した甲第６号証）
　刊行物７：特開昭５３−７７７０２号公報（異議申立人が提出した甲第７号証）
　刊行物８：特開昭５４−８５８０２号公報（異議申立人が提出した甲第８号証）
　刊行物９：特公昭５５−１２８７７号公報（異議申立人が提出した甲第９号証）
　刊行物１０：特開昭５５−１５８２９９号公報（異議申立人が提出した甲第１０号証）
　刊行物１１：特開昭６２−１８８６９７号公報（異議申立人が提出した甲第１１号証）
　
　引用刊行物記載の発明
　［刊行物１］
　「平版用版材としては、アルミニウム板が主として用いられ、使用する表面が砂目立て（研磨）等の処理により保水性が与えられている。例えば、平版用版材の一種であるＰＳ版・・・では、砂目立て等による保水処理を施してから、表面に感光材料が塗布されており、これを製版工程でネガ又はポジに密着して焼付処理を行ない、これを現像すれば画像部分の感光剤が残り、非画像部分の感光剤が取り除かれて保水処理された面が露呈する。
　従来、平版用版材を裁切断する場合は、第２図に示すように、上刃１と下刃２とにより挟み付けて、平版用版材３に剪断力を与えて裁切断するのが普通である。・・・前述した裁切断方法では、切り口にかえり（バリ）が発生するため、このかえりに付いた油性インキが紙に転写されてしまうという問題があった。・・・なお、エッジ５，８には下に丸まっただれが発生するが、この部分は保水処理面３ａがまわり込んでいるため、保水性が保たれ、かつ印刷時に紙に強く当たることはないから、印刷に不都合を与えることはない。」（第1頁左下欄第18行〜第2頁左上欄第8行）、
　「平版用版材１０は、親水性金属例えばアルミニウム板が用いられ、（Ａ）に示すように、その両面又は片面の印刷に使用する面に砂目立て等を施して保水処理面１０ａに加工されており、感光剤を塗布した後に、（Ｂ）から（Ｄ）の工程により、所定のサイズに裁切断される。」（第２頁右上欄第６〜１１行）、
　「裁切断された版材１０は、（Ｅ）に示すように、全てのエッジ１７〜２０が丸まっただれとなり、かえりが発生しない。」（第２頁左下欄第１〜３行）。
　
　上記記載から、刊行物１には、
「表面に砂目立て等を施して保水処理面１０ａを形成した上に感光剤を塗布したアルミニウム板を裁断することによりへりの角部に沿って表面が保水処理面で覆われた上面切欠部を設け、
　該切欠部の表面が前記アルミニウム板の表面に対し角度をなす状態とし、
　製版工程で焼付処理及び現像処理を施した平版印刷版。」の発明が記載されている。
　
　［刊行物２］
　「アルミニウム板の対向する二方又は四方のへりの角部に沿って切欠部を設け、該切欠部の表面がアルミニウム板の表面に対しなす角度θを１０°＜θ＜４５°とし、該切欠部がへりの角部において占める巾ｘを５μ以上とし、これによって、印刷作業時にインキがへりに付着しないようにしたことを特徴とする印刷用アルミニウム支持体。」（特許請求の範囲）、
　「一般にオフセット用アルミニウム板を製造する場合には、シート状或いは、コイル状のアルミニウム板を種々の方法で脱脂洗浄し、種々の方法で砂目立て（研磨）し、次いで必要に応じて残渣除去、陽極酸化処理、親水化処理等を行なう。その後、所望の印刷機に合ったサイズにアルミ板をカットしてから感光液を塗布するか、又は感光液を塗布してから、そのサイズに合うようにカットして使用している。このカットする方法として、・・・スリッター、・・・が一般的に使用されている。」（第１欄第２６〜３７行）。
　
　［刊行物３］
　「（１）せん断機によるせん断　　長尺の板・棒・線を所定の長さにするために用いられることが多い。図１．３に各種のせん断機を示す。・・・対向する２つの円板に切刃をつけた回転刃によってせん断を行なうものに、長尺板を各種の幅に切断するガングスリッター、・・・がある。（図１．３（ｃ）には、クリアランスｃが板厚ｔの０．１〜０．２に選択されることが記載されている。）」（第７５６頁第１４行〜第７５７頁第４行）、
　「１．２．２せん断切口面形状と加工力　　一般にせん断切口面は図１．５に示すようになる。刃先が材料に食い込むとき自由表面は変形してだれとなり、塑性変形による切口面は切刃側面によりこすられ平滑な光沢のあるせん断面となる。・・・同一材料でもクリアランスや拘束条件により切口面形状は変化する。せん断切口面の形状は図１．６に示すようにクリアランスによって大きく変化する。」（第７５７頁第１４行〜第７５８頁第４行）、
　
　［刊行物４］
　「製版工程においては現像処理の終了した印刷版面の非画像部の親水性を損なわないようにするため、ガム引き作業が行なわれる。・・・しかしながら、第２の上下ローラ対２でガム液が印刷版４から絞られる際、第２図に示すように、印刷版４の縁５と上下ローラ対２の上ローラ２Ａと下ローラ２Ｂとの間隙６から印刷版４が送出される側へガム液が印刷版４の縁５からその付近へ回り込みむらとなって付着する。この様子を第３図に示している。」（第１欄第３４行〜第２欄第１５行）。
　
　［刊行物５］
　「平版印刷版を製版する際、その最終工程で非画像部（水を保持して印刷インクを反撥する領域。）を保護するため版面保護剤（いわゆるガム液。）を塗布するガム引きと云われる工程が行なわれる。ガム引きは、平版印刷版の非画像部の親水性を高める為（不感脂化とも言う。）のみならず、・・・印刷機に取付ける場合等平版印刷版を取り扱う際に指の油、油脂、塵埃等が付着して非画像部がインク受容性となって汚れるのを防止する為、・・・などの目的をもって行なわれるものである。」（第１頁左下欄第１３行〜右下欄第７行）。
　
　［刊行物６］
　「ガム液　−液　gum solution　アラビアゴムの水溶液をいう。平版非画線部の不感脂化と，版面保護皮膜を目的に行うが，印刷時にはガム液を水で除去して使用する。長時間停止時や保存時には，ガム引きをして不感脂化処理を行う。」（第２１６頁第２〜６行）。
　
　［刊行物７］
　「本発明は電解粗面化処理法によるオフセット印刷版材用のアルミニウム粗面板の製造法に関するものである。一般にアルミニウム板をオフセット印刷用版材として使用するためには製版処理に際しての感光膜の被着性の向上と印刷に際しての浸し水保水性の改善のために予じめその表面を粗面化処理しておくことが行われる」（第１頁左下欄第１２〜１９行）、
　「こうして得られた二重細（「構」の誤記）造的凹凸面を有するアルミニウム粗面板はこのまゝでも使用出来るが、・・・陽極酸化処理を施し板面に硫酸陽極処理特有の硬質多孔性の保護被膜を形成さすことによって、感光膜被着性、湿し水保水性および耐摩耗性の一層改善された版材用粗面板とすることができる。」（第２頁右上欄第１５行〜左下欄第１行）。
　
　［刊行物８］
　「アルミニウム板の表面に２重ピット構造を有する砂目を形成させてから、このアルミニウム粗面板を硫酸単味または硫酸を主成分として含む電解浴（以下単に電解浴と記す）中において陽極酸化処理を行なう。このように電解粗面化処理後にさらに陽極酸化処理を施こすことによって、２重ピット構造を持つ粗面は殆んどそのままの形状が保たれるとともに親水性・保水性がより改善されて印刷性能が向上し、耐刷性も優れたオフセット印刷用アルミニウム粗面板が製造できる。すなわち電解粗面化処理後のアルミニウム板を硫酸浴で陽極酸化処理すると、硬質の多孔性酸化皮膜が形成される。この硬質多孔性酸化皮膜は２重ピット構造の砂目形状と相俟って、感光膜との密着性を良好にし、印刷時には良好な保水性と、湿し水の調整範囲を広くする特性によって刷り易さを向上させる。」（第３頁左下欄第１３行〜右下欄第９行）。
　
　［刊行物９］
　「平版印刷はアルミニウム表面の親水性、感光剤の親油性を利用した水とインクのバランスによる印刷であるから、アルミニウム表面は親水性、保水性、感光剤の密着性、耐刷力を与えるための耐磨耗性などに優れていることが要求される。このうち親水性、保水性および密着性をアルミニウム表面に付与するには、機械的又は化学的な方法で表面に微細な凹凸をつけて粗面化（砂目立て）することによって行われる。」（第１欄第３５行〜第２欄第６行）、
　「電解エッチングが施されたアルミニウム板は次に陽極酸化が施される。陽極酸化は、アルミ表面に、多孔性の酸化皮膜を形成させ、保水性、感光材の接着性を高めること、および耐磨耗性（耐刷性）の向上を目的とし、本発明ではリン酸または硫酸の水溶液中交流で電解することによって行われる。」（第３欄第１６〜２２行）。
　
　［刊行物１０］
　「本発明は平版印刷版用支持体の製造方法、特にアルミニウム板を特定の電解処理に供して、その表面を多孔性とする平版印刷版用支持体の製造方法に関するものである。」（第１頁左下欄第９〜１２行）、
　「陽極酸化は直流法又は交流法が知られており、・・・本発明で使用される陽極酸化処理は、硫酸の水溶液中でアルミニウム板に交流を流すことにより行なわれる。これによってアルミニウム版面に交流陽極酸化処理特有の柔軟性に富む多孔質酸化皮膜が形成され、保水性および感光物との接着性の向上がはかられた。」（第３頁左下欄第１〜１２行）。
　
　［刊行物１１］
　「例えば印刷用の版材を製造するときには、例えばアルミニウムの薄板を帯状にしたウェブを原版のサイズに応じた幅に裁断するためにスリッター装置が使用される。このスリッター装置は、ウェブの上下にそれぞれ配置された上刃と下刃とからなる裁断刃を備えている。」（第１頁右下欄第２０行〜第２頁左上欄第５行）。
　
４．対比・判断
　本件発明と、刊行物１に記載のものとを対比する。
　本件発明の「表面に陽極酸化皮膜を形成させた」ことと、刊行物１の「表面に砂目立て等を施して保水処理面１０ａを形成した」ことは、「表面に下地処理を施す」ことで共通する。
　また、所定の大きさに印刷版用アルミニウム板を裁断する際に、対向する二辺又は四辺を裁断することは当然のことである。
　そうすると、本件発明と、刊行物１に記載のものとは、
「表面に下地処理を施した上に感光層（刊行物１の感光剤に相当。以下、括弧内の記載は刊行物１のものを指す。）を設けた方形アルミニウム板の対向する二辺又は四辺を裁断することによりへりの角部に沿って表面が下地処理面で覆われた上面切欠部（丸まっただれ）を設け、
　該切欠部（丸まっただれ）の表面が前記アルミニウム板の表面に対し角度θをなすようにし、
　該感光層（感光剤）に画像形成露光及び現像処理（焼付処理及び現像処理）を施した、
　平版印刷版。」である点で一致し、次の点で相違する。
　相違点１：下地処理について、本件発明では陽極酸化皮膜を形成するとしているのに対して、刊行物１のものでは砂目立て等を施して保水処理面１０ａを形成するとしている点。
　相違点２：アルミニウム板の裁断に際して、本件発明ではスリッターを用いているのに対して、刊行物１のものではスリッターを用いたものではない点。
　相違点３：切欠部の表面がアルミニウム板の表面に対してなす角度が、本件発明は、５°以上であるのに対して、刊行物１のものは、その角度を明記していない点。
　相違点４：感光層に画像形成露光及び現像処理を施した後の処理について、本件発明は、端部を不感脂化処理しているのに対して、刊行物１のものは、製版処理するとだけしか言及していない点。
　
　上記相違点について検討する。
　相違点１について。
　アルミ表面に保水性、感光剤の接着性を高めるために粗面化（砂目立て）を行なってから陽極酸化処理による陽極酸化皮膜を形成することは、刊行物７〜刊行物１０にみるように周知である。
　そうすると、本件発明の相違点１の如く構成することは、当業者が適宜なし得る設計上の問題に過ぎない。
　相違点２について。
　アルミニウム基板をスリッターで裁断することは、刊行物３にも記載されているように通常行われていることであるとともに、印刷版用アルミニウム基板をスリッターで裁断することは、周知である（例えば刊行物２、刊行物１１等参照）ので、スリッターを用いて印刷版用アルミニウム基板を裁断することは、当業者が適宜なし得ることである。
　相違点３について。
　刊行物２には、アルミニウム板の対向する二方または四方のへりの角部に沿って切欠部を設け、該切欠部の表面がアルミニウム板の表面に対しなす角度θを１０°＜θ＜４５°とし、印刷作業時にインキがへりに附着しないようにする点が記載されている。
　また、刊行物３には、アルミニウム板用の剪断機の一種として、ガングスリッターがあり、その際、刃の隙間ｃが板厚ｔの０．１から０．２に選択されること、剪断機のクリアランスｃによってだれを含めた切口面形状は変化することが記載されている。
　してみると、切欠部の表面がアルミニウム板の表面に対してなす角度を５°以上とすることは当業者が容易に想到し得たものである。
　相違点４について。
  平版印刷版の画像形成露光及び現像処理後の後処理として、その端部を含む領域にガム液を塗布するガム引きを行うことは、刊行物４において知られており、かつ、平版印刷版のガム液を塗布するガム引きは不感脂化のためであることは、周知の事項である（例えば、刊行物５、刊行物６等参照）。しかも、本件特許明細書段落番号【００２６】に、「ガム液と不感脂化剤とを併用して適用してもよい。」と記載され、また、同じく段落番号【００２０】に、「従来平版印刷版の不感脂化剤として慣用されているものを用いることができる。」と記載されているように、本件特許発明における『不感脂化処理』には、ガム引きも含まれることは明らかである。したがって、この点は刊行物４の記載と上記周知の事項に基づいて当業者が容易に想到し得たものである。
　
　そして、これらの相違点１乃至相違点４の構成を組み合わせてみても、本件発明が格別の効果を奏するものということはできない。
　
　尚、特許権者は、「上記「切欠部を陽極酸化皮膜で覆う」ことを相違点として摘示したとしても、・・・該相違点が刊行物１、２、７〜１０に記載された事項に基づき容易に想到できるものということはできません。」（平成１２年７月２５日付け意見書、第８頁第１１〜１５行）と主張する。
　しかしながら、刊行物１のものは、「エッジ５，８には下に丸まっただれが発生するが、この部分は保水処理面３ａがまわり込んでいるため、保水性が保たれ、かつ印刷時に紙に強く当たることはないから、印刷に不都合を与えることはない。」との記載があるように、裁切断された版材１０は、全てのエッジ１７〜２０が丸まっただれとなり、保水性が保たれ、かつ印刷時に紙に強く当たることはないから、印刷に不都合を与えることはないものである。
　そして、上記相違点１の項で説示した如くアルミ表面に保水性、感光剤の接着性を高めるために粗面化（砂目立て）を行なってから陽極酸化処理による陽極酸化皮膜を形成することは、刊行物７〜刊行物１０にみるように周知であるので、特許権者の主張は、これを採用することはできない。
　
５．むすび
　以上のとおりであるから、本件発明は、刊行物１乃至刊行物１１に記載された発明から当業者が容易に発明をすることができたものであるから、特許法第２９条第２項の規定により特許を受けることができない。
　したがって、本件発明についての特許は、拒絶の査定をしなければならない特許出願に対してなされたものである。
　よって、特許法等の一部を改正する法律（平成６年法律第１１６号）附則第１４条の規定に基づく、特許法等の一部を改正する法律の一部の施行に伴う経過措置を定める政令（平成７年政令第２０５号）第４条第１項及び第２項の規定により、結論のとおり決定する。
【異議決定日】
平成１３年１月１１日（２００１．１．１１）